(57)【要約】  【課題】インナーパッドを併用しても違和感なく装着でき、肌への密着性が向上し、漏れを防止できるパンツを提供する。  【解決手段】パンツ本体部分３がトランクス形状で経緯両方向に伸縮可能である。太腿の辺りまでパンツ本体部分３が位置し脚回りが密着する。クロッチ部分４にインナーパッド２を取り付けてもはみ出ない。パンツ本体部分３の前身頃部７に前身頃中心部ゴム編み部分13とそけい部ゴム編み部分14と設けた。パンツ本体部分３の後身頃部に後身頃中心部ゴム編み部分と臀部ゴム編み部分とを設けた。そけい部および臀部での肌への密着性が向上する。  【選択図】図１
2005120516.tif 000002
【特許請求の範囲】
【請求項１】
ウエスト開口部および丈を有する一対の脚開口部を備え前身頃部および後身頃部が平編み部およびゴム編み部による丸編みにて構成され経緯両方向に伸縮可能な下着本体部と、
この下着本体部の股部に位置するクロッチ部とを具備した略トランクス状の下着であって、
前記前身頃部は、ウエスト開口部の幅方向における中央部から前記クロッチ部側に向けて設けられた前身頃中心ゴム編み部と、そけい部に沿うように設けられたそけい部ゴム編み部とを有し、
前記後身頃部は、ウエスト開口部の幅方向における中心部から前記クロッチ部に向けて設けられた後身頃中心ゴム編み部と、臀部に沿うように設けられた臀部ゴム編み部とを有している
ことを特徴とした下着。
【請求項２】
前身頃中心ゴム編み部およびそけい部ゴム編み部と、後身頃中心ゴム編み部および臀部ゴム編み部とのそれぞれは、クロッチ部近傍で接合されており、
前記そけい部ゴム編み部と前記臀部ゴム編み部とは、下着本体部の両側部で接合されてウエスト開口部まで設けられている
ことを特徴とした請求項１記載の下着。
【請求項３】
ウエスト開口部周縁と一対の脚開口部周縁とゴム編み部と平編み部との伸長応力は、
ウエスト開口部周縁＞一対の脚開口部周縁＞ゴム編み部＞平編み部
の関係を有していることを特徴とした請求項１または２記載の下着。
【請求項４】
そけい部ゴム編み部は、ウエスト開口部側に向けて凸状に湾曲した円弧状に形成され、
臀部ゴム編み部は、臀部を囲むように一対の脚開口部側に向けて凸状に湾曲した円弧状に形成されている
ことを特徴とした請求項１ないし３いずれか記載の下着。
【発明の詳細な説明】
【技術分野】
【０００１】
本発明は、一対の脚開口部およびウエスト開口部を備え前身頃部および後身頃部にて構成された下着に関する。
【背景技術】
【０００２】
従来、一般的な失禁用品である繰り返し使用でき洗濯可能な下着としては、前身頃部および後身頃部にて構成され一対の脚開口部およびウエスト開口部を備えた下着本体部を備えている。そして、この下着の股部に位置するクロッチ部に吸収体が配設された構成が知られている。
【０００３】
また、この種の下着としては、繰り返し使用できない使い捨てのパンツタイプの紙おむつが知られている。
【０００４】
さらに、この種の下着としては、失禁用とは別の生理用ショーツや、ヒップアップ機能を有するガードルなどが知られている（例えば、特許文献１参照。）。
【特許文献１】実用新案登録第３０４５８５１号公報（第１０−１５頁、図１）
【発明の開示】
【発明が解決しようとする課題】
【０００５】
しかしながら、上記吸収体が配設された下着では、繰り返し洗濯して使用するため、吸収体の部分に高分子吸収剤を含ませることができないから、この吸収体で排滑液を大量に吸収できず、尿の後戻りが生じるおそれがあり、不快を与えてしまうおそれがある。
【０００６】
また、上記パンツタイプの紙おむつの場合には、数回分の排尿を吸収できるが、１日に数枚を交換して使用することとなるから、コストが高くなるとともに、この紙おむつを使用することに対して抵抗がある。
【０００７】
このため、下着のクロッチ部に使い捨て吸収物品としてのインナーパッドを取り付けて使用することが考えられるが、この種の一般的な下着にはインナーパッドをクロッチ部に取り付けて使用することを想定して構成されていないから、インナーパッドのズレや装着ミスなどによって、尿漏れの原因となってしまうおそれがある。
【０００８】
さらに、生理用ショーツや、ヒップアップ機能を有するガードルのように肌に密着させる下着の場合にも、これらショーツやガードルにインナーパッド、特に大型のパッドを取り付けて併用することについては考えられていないという問題を有している。
【０００９】
本発明は、このような点に鑑みなされたもので、使い捨て吸収物品を使用しても違和感なく装着でき、肌への密着性が向上し、漏れを防止できる下着を提供することを目的とする。
【課題を解決するための手段】
【００１０】
請求項１記載の下着は、ウエスト開口部および丈を有する一対の脚開口部を備え前身頃部および後身頃部が平編み部およびゴム編み部による丸編みにて構成され経緯両方向に伸縮可能な下着本体部と、この下着本体部の股部に位置するクロッチ部とを具備した略トランクス状の下着であって、前記前身頃部は、ウエスト開口部の幅方向における中央部から前記クロッチ部側に向けて設けられた前身頃中心ゴム編み部と、そけい部に沿うように設けられたそけい部ゴム編み部とを有し、前記後身頃部は、ウエスト開口部の幅方向における中心部から前記クロッチ部に向けて設けられた後身頃中心ゴム編み部と、臀部に沿うように設けられた臀部ゴム編み部とを有しているものである。
【００１１】
そして、前身頃部および後身頃部を丸編みにて下着本体部を構成したので、この下着本体部のウエスト両側部に繋ぎ目がなくなるから、装着感が向上する。また、下着本体部が丈を有する一対の脚開口部を備えた略トランクス形状であり、経緯両方向に伸縮可能で、平編み部およびゴム編み部にて構成した。このため、太腿の辺りまで下着本体部が位置し脚回りが密着するので、クロッチ部に大型の使い捨て吸収物品を取り付けてもはみ出ないから、下着本体部全体の肌への密着性が向上する。さらに、ウエスト開口部の幅方向における中心部からクロッチ部側に向けて設けた前身頃中心ゴム編み部と、そけい部に沿うように設けたそけい部ゴム編み部とを前身頃部が有し、ウエスト開口部の幅方向における中心部からクロッチ部に向けて設けた後身頃中心ゴム編み部と、臀部に沿うように設けた臀部ゴム編み部とを後身頃部が有する。このため、そけい部および臀部における下着本体部の肌への密着性を向上でき、クロッチ部に取り付けた使い捨て吸収物品を肌へ押し当てることができるので、この使い捨て吸収物品を使用しても違和感なく装着でき、漏れを防止できる。
【００１２】
請求項２記載の下着は、請求項１記載の下着において、前身頃中心ゴム編み部およびそけい部ゴム編み部と、後身頃中心ゴム編み部および臀部ゴム編み部とのそれぞれは、クロッチ部近傍で接合されており、前記そけい部ゴム編み部と前記臀部ゴム編み部とは、下着本体部の両側部で接合されてウエスト開口部まで設けられているものである。
【００１３】
そして、前身頃中心ゴム編み部およびそけい部ゴム編み部と、後身頃中心ゴム編み部と臀部ゴム編み部とのそれぞれをクロッチ部近傍で接合し、そけい部ゴム編み部と臀部ゴム編み部とを下着本体部の両側部で接合しウエスト開口部まで設けた。この結果、下着本体部全体でゴム編み部が一体的に作用するから、肌への密着性が向上する。よって、使い捨て吸収物品をより確実に肌に密着できるので、漏れをより確実に防止できる。
【００１４】
請求項３記載の下着は、請求項１または２記載の下着において、ウエスト開口部周縁と一対の脚開口部周縁とゴム編み部と平編み部との伸長応力は、ウエスト開口部周縁＞一対の脚開口部周縁＞ゴム編み部＞平編み部の関係を有しているものである。
【００１５】
そして、ウエスト開口部周縁と一対の脚開口部周縁とゴム編み部と平編み部との伸長応力が、ウエスト開口部周縁＞一対の脚開口部周縁＞ゴム編み部＞平編み部の関係を有する。このため、下着本体部全体としては必要以上の圧迫感を与えることがなく、ウエスト開口部および脚開口部の周縁が確実に肌に密着するから、装着時による下着本体部のずれ落ちを防止できる。
【００１６】
請求項４記載の下着は、請求項１ないし３いずれか記載の下着において、そけい部ゴム編み部は、ウエスト開口部側に向けて凸状に湾曲した円弧状に形成され、臀部ゴム編み部は、臀部を囲むように一対の脚開口部側に向けて凸状に湾曲した円弧状に形成されているものである。
【００１７】
そして、そけい部ゴム編み部をウエスト開口部側に向けて凸状に湾曲した円弧状に形成し、臀部ゴム編み部を臀部を囲むように一対の脚開口部側に向けて凸状に湾曲した円弧状に形成したので、下着本体部による肌への密着性がより向上する。
【発明の効果】
【００１８】
請求項１記載の下着によれば、前身頃部および後身頃部を丸編みにて下着本体部を構成したので、この下着本体部のウエスト両側部に繋ぎ目がなくなるから、装着感を向上できる。また、下着本体部が丈を有する一対の脚開口部を備えた略トランクス形状であり、経緯両方向に伸縮可能で、平編み部およびゴム編み部にて構成したため、太腿の辺りまで下着本体部が位置し脚回りが密着するので、クロッチ部に大型の使い捨て吸収物品を取り付けてもはみ出ないから、下着本体部全体の肌への密着性を向上できる。さらに、ウエスト開口部の幅方向における中心部からクロッチ部側に向けて設けた前身頃中心ゴム編み部と、そけい部に沿うように設けたそけい部ゴム編み部とを前身頃部が有し、ウエスト開口部の幅方向における中心部からクロッチ部に向けて設けた後身頃中心ゴム編み部と、臀部に沿うように設けた臀部ゴム編み部とを後身頃部が有するため、そけい部および臀部における下着本体部の肌への密着性を向上でき、クロッチ部に取り付けた使い捨て吸収物品を肌へ押し当てることができるので、この使い捨て吸収物品を使用しても違和感なく装着でき、漏れを防止できる。
【００１９】
請求項２記載の下着によれば、前身頃中心ゴム編み部およびそけい部ゴム編み部と、後身頃中心ゴム編み部および臀部ゴム編み部とのそれぞれをクロッチ部近傍で接合し、そけい部ゴム編み部と臀部ゴム編み部とを下着本体部の両側部で接合しウエスト開口部まで設けたため、下着本体部全体でゴム編み部が一体的に作用するから、肌への密着性を向上できるので、使い捨て吸収物品をより確実に肌に密着できるから、漏れをより確実に防止できる。
【００２０】
請求項３記載の下着によれば、ウエスト開口部周縁と一対の脚開口部周縁とゴム編み部と平編み部との伸長応力が、ウエスト開口部周縁＞一対の脚開口部周縁＞ゴム編み部＞平編み部の関係を有するため、下着本体部全体としては必要以上の圧迫感を与えることがなく、ウエスト開口部および脚開口部の周縁を確実に肌に密着できるから、装着時による下着本体部のずれ落ちを防止できる。
【００２１】
請求項４記載の下着によれば、そけい部ゴム編み部をウエスト開口部側に向けて凸状に湾曲した円弧状に形成し、臀部ゴム編み部を臀部を囲むように一対の脚開口部側に向けて凸状に湾曲した円弧状に形成したので、下着本体部による肌への密着性をより向上できる。
【発明を実施するための最良の形態】
【００２２】
以下、本発明の下着の第１の実施の形態の構成を図１および図２を参照して説明する。
【００２３】
図１および図２において、１は下着としてのパンツで、このパンツ１は、使い捨て吸収物品としてのインナーパッド２を併用できる略トランクス形状のガードル機能を有する下着である。また、このパンツ１は、略筒状の下着本体部としてのパンツ本体部分３と、このパンツ本体部分３の股部に位置するクロッチ部としてのクロッチ部分４とにより構成されている。
【００２４】
そして、このパンツ本体部分３の上側には、装着者のウエスト部分が挿通されて密着されるウエスト開口部５が開口されている。さらに、このパンツ本体部分３の下側には、装着者の各太腿付近が挿通されて密着される一対の脚開口部６が開口されている。これら一対の脚開口部６のそれぞれは、パンツ本体部分３の上下方向に沿った丈を有している。すなわち、これら一対の脚開口部６は、パンツ本体部分３の上下方向に沿って所定の長さを有する円筒状の脚部の先端部に形成されている。
【００２５】
さらに、このパンツ本体部分３は、このパンツ本体部分３の前側略半分を構成する前身頃部７と、このパンツ本体部分３の略後側半分を構成する後身頃部８とにて構成されている。ここで、前身頃部７は装着者の下腹部を覆う部分であり、後身頃部８は装着者の臀部を覆う部分である。そして、これら前身頃部７および後身頃部８は、互いに等しい形状であり、パンツ本体部分３の両側部に位置するウエスト両側部９が連続して接合されている。すなわち、これら前身頃部７および後身頃部８は、接合部分がないように丸編みにて接合されて構成されている。
【００２６】
また、パンツ本体部分３は、表面に表目、裏面に裏目をもつ組織である平編(Plain stitch)にて構成された平編み部としての平編み部分11と、表と裏とが交互に水平方向である横方向に並んだ組織であるゴム編(Rib stitch)にて構成されたゴム編み部としてのゴム編み部分12とにて構成されている。さらに、このパンツ本体部分３は、上下方向としての縦方向および横方向のそれぞれである経緯両方向に沿って伸縮可能に構成されている。
【００２７】
一方、このパンツ本体部分３の前身頃部７には、ウエスト開口部５の幅方向における中央部分からクロッチ部分４側に向けて垂直に突出して設けられた前身頃中心ゴム編み部としての前身頃中心部ゴム編み部分13が設けられている。この前身頃中心部ゴム編み部分13は、横方向に大きな伸縮性を有するように、表と裏とが交互に横方向に並んだ状態とされている。また、この前身頃中心部ゴム編み部分13は、ゴム編み部分12の一部を構成しており、略矩形状に形成されている。さらに、この前身頃中心部ゴム編み部13は、ウエスト開口部５側からクロッチ部分４側に向けて徐々に幅狭に構成されており、ウエスト開口部５からクロッチ部分４近傍までに亘って位置している。
【００２８】
また、パンツ本体部分３の前身頃部７には、装着者のそけい部に沿うように設けられた前面視略Ｖ字状のそけい部ゴム編み部としてのそけい部ゴム編み部分14が設けられている。このそけい部ゴム編み部分14は、横方向に大きな伸縮性を有するように、表と裏とが交互に横方向に並んだ状態とされている。さらに、このそけい部ゴム編み部分14は、ゴム編み部分12の一部を構成しており、装着者のそけい部に沿うようにクロッチ部分４の上側からウエスト両側部９までに亘って直線状に設けられている。また、このそけい部ゴム編み部分14の横方向における中央部は、前身頃中心部ゴム編み部分13とクロッチ部分４との間に位置しており、この前身頃中心部ゴム編み部分13から離間され、クロッチ部分４の上側に連続して設けられている。
【００２９】
次いで、パンツ本体部分３の後身頃部８には、ウエスト開口部５の幅方向における中心部からクロッチ部分４側に向けて垂直に突出して設けられた後身頃中心ゴム編み部としての後身頃中心部ゴム編み部分15が設けられている。この後身頃中心部ゴム編み部分15は、前身頃中心部ゴム編み部分13と略同様に構成されている。
【００３０】
また、パンツ本体部分３の後身頃部８には、装着者の臀部に沿うように設けられた後面視略Ｖ字状の臀部ゴム編み部としての臀部ゴム編み部分16が設けられている。この臀部ゴム編み部分16は、そけい部ゴム編み部分14と略同様に構成されており、装着者の臀部に沿うようにクロッチ部分４の上側からウエスト両側部９までに亘って直線状に設けられている。
【００３１】
さらに、パンツ本体部分３は、このパンツ本体部分３のウエスト開口部５周縁部分と、一対の脚開口部６周縁部分と、ゴム編み部分12と、平編み部分11とのそれぞれの伸長応力が、ウエスト開口部５周縁部分＞一対の脚開口部６周縁部分＞ゴム編み部分12＞平編み部分11の関係を有するように構成されている。
【００３２】
一方、インナーパッド２は、細長略矩形シート状の吸収体である。そして、このインナーパッド２の長手方向である前後方向における中央部には、クロッチ部分４の幅寸法に略等しい幅寸法を有する幅狭部17が設けられている。この幅狭部17は、クロッチ部分４の内側に取り付けられる部分であり、装着者から排出された尿などの排泄液を吸収する部分である。
【００３３】
また、この幅狭部17の長手方向としての前後方向の一端側である前側には、この幅狭部17よりも大きな幅寸法を有する略円形状の前拡幅シート部18が一体的に設けられている。この前拡幅シート部18は、パンツ本体部分３の前身頃部７の内側である、この前身頃部７の幅方向における中央部、すなわちクロッチ部分４の上側に取り付けられる。よって、この前拡幅シート部18は、パンツ本体部分３の前身頃部７からの尿などの排泄液の漏れを防止する。
【００３４】
さらに、幅狭部17の前後方向における他端側である後側には、この幅狭部17よりも大きな幅寸法を有する略円形状の後拡幅シート部19が一体的に設けられている。この後拡幅シート部19は、前拡幅シート部18よりも大きく形成されている。また、この後拡幅シート部19は、パンツ本体部分３の後身頃部８の内側である、この後身頃部８の幅方向における中央部、すなわちクロッチ部分４の上側に取り付けられる。よって、この後拡幅シート部19は、パンツ本体部分３の後身頃部８からの尿などの排泄液の漏れを防止する。
【００３５】
次に、上記第１の実施の形態の作用について説明する。
【００３６】
まず、パンツ本体部分３のクロッチ部分４の内側にインナーパッド２を取り付けて、このインナーパッド２の前拡幅シート部18を前身頃部７の内側の中央下側に位置させ、このインナーパッド２の後拡幅シート部19を後身頃部８の内側の中央下側に位置させる。
【００３７】
この後、パンツ本体部分３のウエスト開口部５から装着者の左右いずれか一方の脚をつま先から挿入させて、このパンツ本体部分３の一対の脚開口部６の左右いずれか一方に挿通させる。
【００３８】
次いで、このパンツ本体部分５のウエスト開口部５から装着者の左右いずれか他方の脚をつま先から挿入させて、このパンツ本体部分５の一対の脚開口部６の左右いずれか他方に挿通させる。
【００３９】
この状態で、このパンツ本体部分３を上側に引き上げて、このパンツ本体部分３のウエスト開口部５を装着者のウエスト部分まで引き上げて密着させるとともに、このパンツ本体部分３の一対の脚開口部６を装着者の両脚のそけい部近傍まで引き上げて密着させる。
【００４０】
このとき、このパンツ本体部分３の前身頃部７によって装着者の下腹部が覆われるとともに、このパンツ本体部分３の後身頃部８によって装着者の臀部が覆われる。
【００４１】
同時に、このパンツ本体部分３の前身頃中心部ゴム編み部分13の伸縮力によって、この前身頃中心部ゴム編み部分13が装着者の下腹部の中央部を押さえ付けるとともに、このパンツ本体部分３のそけい部ゴム編み部分14の伸縮力によって、このそけい部ゴム編み部分14が装着者のそけい部を押さえ付ける。
【００４２】
さらに、このパンツ本体部分３の後身頃中心部ゴム編み部分15の伸縮力によって、この後身頃中心部ゴム編み部分15が装着者の臀部の上側中央部を押さえ付けるとともに、このパンツ本体部分３の臀部ゴム編み部分16の伸縮力によって、この臀部ゴム編み部分16が装着者の臀部に沿って押さえ付けて、この臀部の下側を上側に向けて持ち上げてヒップアップさせる。
【００４３】
上述したように、上記第１の実施の形態によれば、パンツ本体部分３の前身頃部７および後身頃部８を連続して接合部分がないように丸編みにて構成した。このため、このパンツ本体部分３のウエスト両側部９に繋ぎ目が形成されなくなるから、このパンツ本体部分３の装着感が良好となり、このパンツ本体部分３の装着感を向上できる。
【００４４】
また、このパンツ本体部分３が丈を有する一対の脚開口部６を備えた略トランクス形状であり、このパンツ本体部分３を経緯両方向に伸縮可能とし、平編み部分11とゴム編み部分12とにて構成した。この結果、装着者の太腿の辺りまでパンツ本体部分３が位置し脚回りに密着させることができる。よって、クロッチ部分４に大型のインナーパッド２を取り付けても、このインナーパッド２が一対の脚開口部６からはみ出ないため、パンツ本体部分３の肌への密着性を向上でき、このパンツ本体部分３全体の密着性を向上できる。
【００４５】
さらに、このパンツ本体部分３の前身頃部７におけるウエスト開口部５の幅方向における中心部からクロッチ部分４側に向けて前身頃中心部ゴム編み部分13を設けた。この結果、この前身頃中心部ゴム編み部分13の弾性力によって装着者の下腹部が押さえ付けられるので、装着者の下腹部の膨らみを目立たなくできるから、装着者の下腹部を矯正できる。
【００４６】
また、このパンツ本体部分３の前身頃部７に装着者のそけい部に沿うそけい部ゴム編み部分14を設けるとともに、このパンツ本体部分３の後身頃部８に装着者の臀部に沿う臀部ゴム編み部分16を設けた。この結果、これらそけい部ゴム編み部分14および臀部ゴム編み部分16それぞれの弾性力によって、装着者のそけい部および臀部におけるパンツ本体部分３の肌への密着性を向上でき、クロッチ部分４に取り付けたインナーパッド２を肌へ押し当てることができる。このため、このインナーパッド２を併用して使用しても違和感なくパンツ本体部分３を装着できるとともに、このパンツ本体部分３からの尿などの排泄液の漏れを確実に防止できる。
【００４７】
このとき、パンツ本体部分３の後身頃部８に臀部ゴム編み部分16を設けたことにより、この臀部ゴム編み部分16の弾性力によって装着者の臀部の下側が上側に向けて押さえ付けられて持ち上げられるので、この装着者の臀部をヒップアップできる。さらに、このパンツ本体部分３の後身頃部８におけるウエスト開口部５の幅方向における中心部からクロッチ部分４側に向けて後身頃中心部ゴム編み部分15を設けたことにより、この後身頃中心部ゴム編み部分15の弾性力によって、装着者の臀部の上側中央部が押さえ付けられる。この結果、これら後身頃中心部ゴム編み部分15および臀部ゴム編み部分16それぞれの弾性力によって、装着者の臀部を適切に矯正できる。
【００４８】
さらに、パンツ本体部分３のウエスト開口部５周縁部分と、一対の脚開口部６周縁部分と、ゴム編み部分12と、平編み部分11とのそれぞれの伸長応力が、ウエスト開口部５周縁部分＞一対の脚開口部６周縁部分＞ゴム編み部分12＞平編み部分11の関係を有するように構成した。この結果、このパンツ本体部分３が装着者に対して必要以上の圧迫感を与えなくなるとともに、このパンツ本体部分３のウエスト開口部５および脚開口部６それぞれの周縁を確実に肌に密着できるから、装着時によるパンツ本体部分３のずれ落ちを確実に防止できる。
【００４９】
次に、本発明の第２の実施の形態を図３および図４を参照して説明する。
【００５０】
この図３および図４に示すパンツ１は、基本的には図１および図２に示すパンツ１と同様であるが、このパンツ１のパンツ本体部分３の前身頃中心部ゴム編み部分13およびそけい部ゴム編み部分14と、後身頃中心部ゴム編み部分15および臀部ゴム編み部分16とのそれぞれを、クロッチ部分４の近傍で接合したものである。
【００５１】
すなわち、前身頃中心部ゴム編み部分13の下端部は、そけい部ゴム編み部分14の幅方向における中央部に一体的に接合されている。同様に、後身頃中心部ゴム編み部分の下端部15もまた、臀部ゴム編み部分16の幅方向における中央部に一体的に接合されている。さらに、そけい部ゴム編み部分14の幅方向に沿った両縁部は、臀部ゴム編み部分16の幅方向に沿った両縁部に一体的に接合されている。
【００５２】
また、これらそけい部ゴム編み部分14および臀部ゴム編み部分16それぞれの幅方向に沿った両縁部には、パンツ本体部分３のウエスト両側部９に沿ってウエスト開口部５まで突出した一対のウエスト両側部ゴム編み部分21が一体的に接合されている。これら一対のウエスト両側部ゴム編み部分21は、ゴム編み部分12の一部を構成し、パンツ本体部分３の高さ方向である上下方向に沿って設けられている。また、これら一対のウエスト両側部ゴム編み部分21の上端部は、前身頃中心部ゴム編み部分13および後身頃中心部ゴム編み部分15それぞれの上端縁における幅方向に沿った両縁部のそれぞれに一体的に接合されている。
【００５３】
この結果、パンツ本体部分３の前身頃部７には、前身頃中心部ゴム編み部分13とそけい部ゴム編み部分14とウエスト両側部ゴム編み部分21とのそれぞれによって囲まれた一対の前身頃平編み部分22が形成されている。同様に、パンツ本体部分３の後身頃部８には、後身頃中心部ゴム編み部分15と臀部ゴム編み部分16とウエスト両側部ゴム編み部分21とのそれぞれによって囲まれた一対の後身頃平編み部分23が形成されている。
【００５４】
したがって、このパンツ本体部分３を装着することにより、このパンツ本体部分３の前身頃中心部ゴム編み部分13、そけい部ゴム編み部分14、後身頃中心部ゴム編み部分15、臀部ゴム編み部分16およびウエスト両側部ゴム編み部分21のそれぞれの弾性力によって、このパンツ本体部分３の肌への密着性を向上できるから、上記第１の実施の形態と同様の作用効果を奏することができる。
【００５５】
さらに、このパンツ本体部分３の前身頃中心部ゴム編み部分13およびそけい部ゴム編み部分14と、後身頃中心部ゴム編み部分15および臀部ゴム編み部分16とのそれぞれをクロッチ部分４の近傍で接合した。同時に、これらそけい部ゴム編み部分14および臀部ゴム編み部分16の両縁部をウエスト両側部ゴム編み部分21にて接合し、これらウエスト両側部ゴム編み部分21の上端部を前身頃中心部ゴム編み部分13および後身頃中心部ゴム編み部分15それぞれの上端縁の幅方向における両縁部に接合した。
【００５６】
この結果、このパンツ本体部分３を装着した際に、このパンツ本体部分３の前身頃中心部ゴム編み部分13、そけい部ゴム編み部分14、後身頃中心部ゴム編み部分15、臀部ゴム編み部分16およびウエスト両側部ゴム編み部分21のそれぞれの弾性力が同時に作用する。したがって、このパンツ本体部分３全体に各ゴム編み部分12が一体的に作用するから、このパンツ本体部分３の肌への密着性をより向上できる。よって、クロッチ部分４に取り付けたインナーパッド２をより確実に肌に密着できるため、このインナーパッド２からの尿などの排泄液の漏れをより確実に防止できる。
【００５７】
次に、本発明の第３の実施の形態を図５および図６を参照して説明する。
【００５８】
この図５および図６に示すパンツ１は、基本的には図３および図４に示すパンツ１と同様であるが、このパンツ１のパンツ本体部分３のそけい部ゴム編み部分14をウエスト開口部５側に向けて凸状に湾曲した円弧状に形成し、このパンツ本体部分３の臀部ゴム編み部分16を一対の脚開口部６側に向けて凸状に湾曲した円弧状に形成したものである。
【００５９】
すなわち、このパンツ本体部分３のそけい部ゴム編み部分14は、装着時に装着者のそけい部に沿って密着するように、このパンツ本体部分３の前身頃部７の幅方向における中央部側からウエスト両側部９側に向けて、この前身頃部７の上側であるウエスト開口部５側に突出した凹弧状に形成されている。よって、このそけい部ゴム編み部分14と前身頃中心部ゴム編み部分13とウエスト両側部ゴム編み部分21とのそれぞれによって前身頃平編み部分22が、前身頃部７の上下方向に沿った幅方向における中心部を基準として、互いに線対称な下方に向けて尖った三角形状となる。
【００６０】
さらに、このパンツ本体部分３の臀部ゴム編み部分16は、装着時に装着者の臀部の下側に沿ってこの臀部を囲むように、このパンツ本体部分３の後身頃部８の幅方向における中央部側からウエスト両側部９側に向けて、この後身頃部８の下側である一対の脚開口部６側に突出した円弧状に形成されている。よって、この臀部ゴム編み部分16と後身頃中心部ゴム編み部分15とウエスト両側部ゴム編み部分21とのそれぞれによって後身頃平編み部分23が、後身頃部の上下方向に沿った幅方向における中心部を基準として、互いに線対称な下側が上側よりも近接するように傾斜した楕円形状となる。
【００６１】
また、これらそけい部ゴム編み部分14および臀部ゴム編み部分16のそれぞれは、前身頃部７および後身頃部８のそれぞれの上下方向に沿った幅方向における中央部を基準として線対称に構成されている。さらに、これらそけい部ゴム編み部分14および臀部ゴム編み部分16のそれぞれは、略等しい曲率でそれぞれが円弧状に湾曲している。
【００６２】
したがって、パンツ本体部分３を装着した際に、このパンツ本体部分３の前身頃中心部ゴム編み部分13、そけい部ゴム編み部分14、後身頃中心部ゴム編み部分15、臀部ゴム編み部分16およびウエスト両側部ゴム編み部分21のそれぞれの弾性力が同時に作用するから、上記第２の実施の形態と同様の作用効果を奏することができる。
【００６３】
また、このパンツ本体部分３のそけい部ゴム編み部分14を上側に向けて突出した円弧状に形成したことにより、このそけい部ゴム編み部分14の弾性力によってパンツ本体部分３の装着者のそけい部に沿って、このそけい部ゴム編み部分14がより確実に密着する。さらに、このパンツ本体部分３の臀部ゴム編み部分16を下側に向けて突出した円弧状に形成したことにより、この臀部ゴム編み部分16の弾性力によってパンツ本体部分３の装着者の臀部を囲むように、この臀部ゴム編み部分16がより確実に密着する。したがって、これらそけい部ゴム編み部分14および臀部ゴム編み部分16それぞれの弾性力によって、パンツ本体部分３による肌への密着性をより向上できる。
【００６４】
なお、上記各実施の形態では、クロッチ部分４にインナーパッド２を取り付けて併用できる略トランクス形状のガードル機能を有するパンツ１について説明したが、このパンツ１のパンツ本体部分３自体を紙などにて構成して使い捨てとすることもできる。また、インナーパッド２は、尿などの排泄液を吸収できるものであれば、おむつ用や生理用の吸収シートなどであってもよい。
【図面の簡単な説明】
【００６５】
【図１】本発明の下着の第１の実施の形態を示す説明正面図である。
【図２】同上下着を示す説明背面図である。
【図３】本発明の第２の実施の形態の下着を示す説明正面図である。
【図４】同上下着を示す説明背面図である。
【図５】本発明の第３の実施の形態の下着を示す説明正面図である。
【図６】同上下着を示す説明背面図である。
【符号の説明】
【００６６】
１    下着としてのパンツ
３    下着本体部としてのパンツ本体部分
４    クロッチ部としてのクロッチ部分
５    ウエスト開口部
６    脚開口部
７    前身頃部
８    後身頃部
11    平編み部としての平編み部分
12    ゴム編み部としてのゴム編み部分
13    前身頃中心ゴム編み部としての前身頃中心部ゴム編み部分
14    そけい部ゴム編み部としてのそけい部ゴム編み部分
15    後身頃中心ゴム編み部としての後身頃中心部ゴム編み部分
16    臀部ゴム編み部としての臀部ゴム編み部分
【図１】
2005120516.tif 000003
【図２】
2005120516.tif 000004
【図３】
2005120516.tif 000005
【図４】
2005120516.tif 000006
【図５】
2005120516.tif 000007
【図６】
2005120516.tif 000008